(57)【要約】【課題】立体画像をより立体的に見せる立体画像表示装置、立体画像表示制御装置、立体画像表示方法及びプログラムを提供する。【解決手段】立体画像表示装置１は、表示部１４と、合成画像を解析する解析部１０と、解析部１０による解析情報に基づいて、合成画像の立体視効果が増大するように、表示部１４による表示を制御する表示制御部１２とを備える。解析部１０は、単眼性手がかりが存在する合成画像について、両眼性手がかり又は単眼性手がかりの少なくとも一方を解析し、単眼性手がかりが存在しない合成画像について、両眼性手がかりを解析する。表示制御部１２は、単眼性手がかりが存在する合成画像について、合成画像における単眼性手がかりが強調されるように表示部１４による表示を制御し、単眼性手がかりが存在しない合成画像について、合成画像に単眼性手がかりが付加されるように表示部１４による表示を制御する。【選択図】図１
2012114885.tif 000002
【特許請求の範囲】
【請求項１】
立体視効果を利用して画像を立体的に表示する表示部と、
左目用画像及び右目用画像を合成した合成画像における両眼性手がかり又は単眼性手がかりを解析する解析部と、
前記解析部による解析情報に基づいて、前記合成画像における単眼性手がかりが強調又は付加されるように、前記表示部による表示を制御する表示制御部と
を備えることを特徴とする立体画像表示装置。
【請求項２】
前記解析部は、前記合成画像の両眼性手がかりを解析するときは、左目用画像及び右目用画像における同一オブジェクトの領域のずれに基づく両眼性手がかりを解析することを特徴とする請求項１に記載の立体画像表示装置。
【請求項３】
前記表示制御部は、前記表示部による表示の制御として、輝度、彩度又は色相の少なくとも１つを変更させる制御情報を前記表示部に出力することを特徴とする請求項１又は請求項２に記載の立体画像表示装置。
【請求項４】
前記制御情報は、ガンマ特性を変更させるものであることを特徴とする請求項３に記載の立体画像表示装置。
【請求項５】
前記表示制御部は、ライン毎の前記制御情報を前記表示部に出力することを特徴とする請求項２又は請求項３に記載の立体画像表示装置。
【請求項６】
前記表示制御部は、前記合成画像内のオブジェクト毎の前記制御情報を前記表示部に出力することを特徴とする請求項２又は請求項３に記載の立体画像表示装置。
【請求項７】
左目用画像及び右目用画像を合成した合成画像における両眼性手がかり又は単眼性手がかりを解析する解析部と、
前記解析部による解析情報に基づいて、前記合成画像における単眼性手がかりが強調又は付加されるように、前記表示部による表示を制御する表示制御部と
を備えることを特徴とする立体画像表示制御装置。
【請求項８】
立体視効果を利用して表示部に画像を立体的に表示する立体画像表示装置における立体画像表示方法であって、
前記立体画像表示装置の解析手段が、左目用画像及び右目用画像を合成した合成画像における両眼性手がかり又は単眼性手がかりを解析し、
前記立体画像表示装置の表示制御手段が、前記解析部による解析情報に基づいて、前記合成画像の単眼性手がかりが強調又は付加されるように、前記表示部による表示を制御することを特徴とする立体画像表示方法。
【請求項９】
立体視効果を利用して表示部に画像を立体的に表示する立体画像表示装置のコンピューターに、
左目用画像及び右目用画像を合成した合成画像における両眼性手がかり又は単眼性手がかりを解析する解析ステップと、
前記解析ステップによる解析情報に基づいて、前記合成画像における単眼性手がかりが強調又は付加されるように、前記表示部による表示を制御する表示制御ステップと
を実行させることを特徴とするプログラム。
【発明の詳細な説明】
【技術分野】
【０００１】
本発明は、立体画像表示装置、立体画像表示制御装置、立体画像表示方法、及び、プログラムに関するものである。
【背景技術】
【０００２】
従来、左目用画像と右目用画像を利用して画像を立体的に表示する技術が開示されている（特許文献１参照）。
【先行技術文献】
【特許文献】
【０００３】
【特許文献１】特開２０１０−１１９０６６号公報
【発明の概要】
【発明が解決しようとする課題】
【０００４】
しかしながら、立体視に好適な表示装置はなく、既存の液晶パネルをベースとしたものしか存在していない。つまり、立体視を実現するために、例えば、液晶パネル表面にバリアを配置した液晶パネル、或いは、液晶シャッターを配置した液晶パネルは存在するものの、立体画像をより効果的に見せる液晶パネルは存在していないという問題がある。
【０００５】
本発明はこのような事情に鑑みてなされたものであって、立体画像をより立体的に見せる立体画像表示装置、立体画像表示制御装置、立体画像表示方法及びプログラムを提供することを目的とする。
【課題を解決するための手段】
【０００６】
上記問題を解決するために、本発明の一態様である立体画像表示装置は、立体視効果を利用して画像を立体的に表示する表示部と、左目用画像及び右目用画像を合成した合成画像における両眼性手がかり又は単眼性手がかりを解析する解析部と、前記解析部による解析情報に基づいて、前記合成画像における単眼性手がかりが強調又は付加されるように、前記表示部による表示を制御する表示制御部とを備えることを特徴とする。
上記構成によれば、単眼性手がかりが存在する合成画像について、当該合成画像の単眼性手がかりが強調されるように表示部による表示を制御し、単眼性手がかりが存在しない合成画像について、当該合成画像に単眼性手がかりが付加されるように表示部による表示を制御するため、立体画像をより立体的に見せることができるようになる。
【０００７】
上記立体画像表示装置において、前記解析部は、前記合成画像の両眼性手がかりを解析するときは、左目用画像及び右目用画像における同一オブジェクトの領域のずれに基づく両眼性手がかりを解析するようにしてもよい。
上記構成によれば、合成画像として元々有している情報を活用し、両眼性手がかりを解析することができるため、効率的に、立体画像をより立体的に見せることができるようになる。
【０００８】
上記立体画像表示装置において、前記表示制御部は、前記表示部による表示の制御として、輝度、彩度又は色相の少なくとも１つを変更させる制御情報を前記表示部に出力するようにしてもよい。
上記構成によれば、表示部は、制御情報に従って合成画像を表示するだけであるため、簡便に、立体画像をより立体的に見せることができるようになる。
【０００９】
上記立体画像表示装置において、前記制御情報は、ガンマ特性を変更させるものであってもよい。
上記構成によれば、ガンマ特性を変更によって輝度、彩度及び色相を変更することができるため、簡便に、立体画像をより立体的に見せることができるようになる。
【００１０】
上記立体画像表示装置において、前記表示制御部は、ライン毎の前記制御情報を前記表示部に出力するようにしてもよい。
上記構成によれば、単眼性手がかりの強調又は付加を表示面のライン毎に行うため、簡便に、立体画像をより立体的に見せることができるようになる。
【００１１】
上記立体画像表示装置において、前記表示制御部は、前記合成画像内のオブジェクト毎の前記制御情報を前記表示部に出力するようにしてもよい。
上記構成によれば、単眼性手がかりの強調又は付加を表示するオブジェクト毎に行うため、きめ細かに、立体画像をより立体的に見せることができるようになる。
【００１２】
上記問題を解決するために、本発明の一態様である立体画像表示制御装置は、左目用画像及び右目用画像を合成した合成画像における両眼性手がかり又は単眼性手がかりを解析する解析部と、前記解析部による解析情報に基づいて、前記合成画像における単眼性手がかりが強調又は付加されるように、前記表示部による表示を制御する表示制御部とを備えることを特徴とする。
上記構成によれば、上述の立体画像表示装置と同様に効果を得ることができる。
【００１３】
上記問題を解決するために、本発明の一態様である立体画像表示方法は、立体視効果を利用して表示部に画像を立体的に表示する立体画像表示装置における立体画像表示方法であって、前記立体画像表示装置の解析手段が、左目用画像及び右目用画像を合成した合成画像における両眼性手がかり又は単眼性手がかりを解析し、前記立体画像表示装置の表示制御手段が、前記解析部による解析情報に基づいて、前記合成画像の単眼性手がかりが強調又は付加されるように、前記表示部による表示を制御することを特徴とする。
上記構成によれば、上述の立体画像表示装置と同様に効果を得ることができる。
【００１４】
上記問題を解決するために、本発明の一態様であるプログラムは、立体視効果を利用して表示部に画像を立体的に表示する立体画像表示装置のコンピューターに、左目用画像及び右目用画像を合成した合成画像における両眼性手がかり又は単眼性手がかりを解析する解析ステップと、前記解析ステップによる解析情報に基づいて、前記合成画像における単眼性手がかりが強調又は付加されるように、前記表示部による表示を制御する表示制御ステップとを実行させることを特徴とする。
上記構成によれば、上述の立体画像表示装置と同様に効果を得ることができる。
【図面の簡単な説明】
【００１５】
【図１】（ａ）は、本発明の第１の実施形態に係る立体画像表示装置の機能ブロック図、（ｂ）は、第２の実施形態に係る立体画像表示制御装置の機能ブロック図である。
【図２】単眼性手がかりが存在する合成画像と単眼性手がかりが存在しない合成画像の一例であり、（ａ）は、単眼性手がかりが存在する合成画像における左目用画像の一例、（ｂ）は、単眼性手がかりが存在する合成画像における右目用画像の一例、（ｃ）は、単眼性手がかりが存在しない合成画像における左目用画像の一例、（ｄ）は、単眼性手がかりが存在しない合成画像における右目用画像の一例である。
【図３】解析部による両眼性手がかりの解析を説明するための図であり、（ａ）は、左目用画像の一例、（ｂ）は、右目用画像の一例、（ｃ）は、（ａ）（ｂ）から得られる解析結果の一例、（ｄ）は、（ｃ）の解析結果に関する模式図、（ｅ）は、ラインの解析の概念図である。
【図４】解析部による単眼性手がかりの解析を説明するための図であり、（ａ）は、左目用画像の一例、（ｂ）は、右目用画像の一例、（ｃ）は、（ａ）（ｂ）から得られる解析結果の一例である。
【図５】ガンマ特性の変更例であり、（ａ）は、最も奥側であると解析された画素に対する赤色信号（Ｒ値）のガンマ補正例、（ｂ）は、最も奥側であると解析された画素に対する緑色信号（Ｇ値）のガンマ補正例、（ｃ）は、最も奥側であると解析された画素に対する青色信号（Ｂ値）のガンマ補正例、（ｄ）は、最も手前側であると解析された画素に対する赤色信号（Ｒ値）のガンマ補正例、（ｅ）は、最も手前側であると解析された画素に対する緑色信号（Ｇ値）のガンマ補正例、（ｆ）は、最も手前側であると解析された画素に対する青色信号（Ｂ値）のガンマ補正例である。
【図６】表示制御部による制御例であり、（ａ）は、多重画像生成装置から出力された合成画像、（ｂ）〜（ｄ）は、夫々、表示制御部による制御によって表示部に表示された（ａ）に示す合成画像の表示例である。
【図７】表示制御部による制御例であり、（ａ）は、夫々、多重画像生成装置から出力された合成画像、（ｂ）は、表示制御部による制御によって表示部に表示された（ａ）に示す合成画像の表示例である。
【発明を実施するための形態】
【００１６】
（第１の実施形態）
以下、本発明の第１の実施形態について図面を参照して詳細に説明する。図１は、本発明の第１の実施形態に係る立体画像表示装置の機能ブロック図、及び、第２の実施形態に係る立体画像表示制御装置の機能ブロック図である。図２は、単眼性手がかりが存在する合成画像と単眼性手がかりが存在しない合成画像の一例である。図３は、解析部による両眼性手がかりの解析を説明するための図である。図４は、解析部による両眼性手がかりの解析を説明するための図である。
【００１７】
本発明の第１の実施形態に係る立体画像表示装置１は、立体視効果を利用して画像を立体的に表示する装置である。立体画像表示装置１は、図１（ａ）に示すように、解析部１０、表示制御部１２及び表示部１４を備える。また、立体画像表示装置１は、多重画像生成装置３と接続している。
【００１８】
多重画像生成装置３は、左目用画像及び右目用画像を合成した合成画像を生成する装置である。左目用画像及び右目用画像は、人間の左右の目に対応する視差画像である。従って、多重画像生成装置３が生成する合成画像には、画像の立体視効果を与える要素の1つである、両眼性手がかり（「生理的手がかり」とも称する）が存在する。また、多重画像生成装置３が生成する合成画像を形成する左目用画像及び右目用画像には、画像の立体視効果を与える要素の1つである単眼性手がかり（「絵画的手がかり」とも称する）が存在する場合もある。
【００１９】
つまり、立体画像における立体視効果は、両眼性手がかりによるものと、単眼性手がかりによるもととが存在するが、多重画像生成装置３は、両眼性手がかりに加え単眼性手がかりが存在する合成画像も、両眼性手がかりのみが存在し単眼性手がかりが存在しない合成画像も生成することができる。
【００２０】
両眼性手がかりに加え単眼性手がかりが存在する合成画像とは、単眼性手がかりを有する左目用画像（例えば図２（ａ）参照）、及び、右目用画像（例えば図２（ｂ）参照）から合成された合成画像である。図２（ａ）に示す左目用画像及び図２（ｂ）に示す右目用画像は、単眼性手がかりの一態様（大きいオブジェクトは近く（手前）に感じ、小さいオブジェクトは遠く（奥）に感じるという態様）を有している。
【００２１】
一方、両眼性手がかりのみが存在し単眼性手がかりが存在しない合成画像とは、単眼性手がかりを有しない左目用画像（例えば図２（ｃ）参照）、及び、右目用画像（例えば図２（ｄ）参照）から合成された合成画像である。なお、図２において、菱型、四角形、三角形、丸及び五角形はオブジェクト、破線は各オブジェクトの表示領域の左右（後述のＸ軸方向）の位置を示す補助線である（後述の図３（ａ）（ｂ）についても同様である）。
【００２２】
解析部１０は、合成画像を多重画像生成装置３から取得する。解析部１０は、合成画像を多重画像生成装置３から取得した場合、当該合成画像を表示部１４に出力する。また、解析部１０は、多重画像生成装置３から取得した合成画像における両眼性手がかり、又は、単眼性手がかりを解析する。具体的には、解析部１０は、単眼性手がかりが存在する合成画像を多重画像生成装置３から取得した場合、当該合成画像の両眼性手がかり又は単眼性手がかりの少なくとも一方を解析し、単眼性手がかりが存在しない合成画像を多重画像生成装置３から取得した場合、当該合成画像の両眼性手がかりを解析する。
なお、解析部１０が、単眼性手がかりが存在する合成画像を取得した場合に、両眼性手がかりを解析するか、単眼性手がかりを解析するか、その両方を解析するかは、立体画像表示装置１において、予め設定しておいてもよいし、立体画像表示装置１のユーザーによって選択可能であってもよい。
以下、合成画像における両眼性手がかりの解析、合成画像における単眼性手がかりを解析の夫々について説明する。
【００２３】
（合成画像における両眼性手がかりの解析）
解析部１０は、左目用画像及び右目用画像における同一オブジェクトの領域のずれ（ずれ方向及びずれ量）に基づく両眼性手がかりを解析する。つまり、解析部１０は、両眼性手がかりとして、左目用画像内のあるオブジェクトの領域に対して、右目用画像内の当該オブジェクトの領域がどの程度ずれているかを解析する。例えば、解析部１０は、図３（ａ）に示す左目用画像及び図３（ｂ）に示す右目用画像を合成した合成画像を多重画像生成装置３から取得した場合、当該合成画像における両眼性手がかりとして、図３（ｃ）に示すように、左目用画像内のあるオブジェクトの領域に対して、右目用画像内の当該オブジェクトの領域がどの程度ずれているかを解析する。
【００２４】
即ち、図３（ａ）（ｂ）に示す例において、解析部１０は、例えば、菱型のオブジェクトの左目用画像の位置「Ｏ」及び菱型のオブジェクトの右目用画像の位置「Ｒ」から、左目用画像に対する右目用画像の菱型のオブジェクトのずれ方向「右方向」、及び、ずれ量「３」（説明の便宜上、補助線Ｎ本分のずれをずれ量「Ｎ」とする）を得る。そして、解析部１０は、図３（ｃ）に示すように、菱型のオブジェクトの両眼性手がかりとして、「３」程度（説明の便宜上、ずれ量「Ｎ」のずれは「Ｎ」程度のずれとする）、基準面（例えば表示部１４の表示面）よりも奥側に存在すると解析（判断）する。
【００２５】
同様に、解析部１０は、四角形のオブジェクトの左目用画像の位置「Ｉ」及び四角形のオブジェクトの右目用画像の位置「Ｊ」から、左目用画像に対する右目用画像の四角形のオブジェクトのずれ方向「右方向」、及び、ずれ量「１」を得る。そして、解析部１０は、図３（ｃ）に示すように、四角形のオブジェクトの両眼性手がかりとして、「１」程度、基準面よりも奥側に存在すると解析する。
【００２６】
また例えば、解析部１０は、三角形のオブジェクトの左目用画像の位置「Ｌ」及び三角形のオブジェクトの右目用画像の位置「Ｌ」から、左目用画像に対する右目用画像の三角形のオブジェクトのずれ方向「−（ずれ無）」、及び、ずれ量「−（ずれ無）」を得る。そして、解析部１０は、図３（ｃ）に示すように、三角形のオブジェクトの両眼性手がかりとして、基準面上に存在すると解析する。
【００２７】
また例えば、解析部１０は、丸のオブジェクトの左目用画像の位置「Ｑ」及び丸のオブジェクトの右目用画像の位置「Ｏ」から、左目用画像に対する右目用画像の丸のオブジェクトのずれ方向「左方向」、及び、ずれ量「２」を得る。そして、解析部１０は、図３（ｃ）に示すように、丸のオブジェクトの両眼性手がかりとして、「２」程度、基準面よりも手前側に存在すると解析する。
【００２８】
同様に、解析部１０は、五角形のオブジェクトの左目用画像の位置「Ｎ」及び五角形のオブジェクトの右目用画像の位置「Ｊ」から、左目用画像に対する右目用画像の五角形のオブジェクトのずれ方向「左方向」、及び、ずれ量「４」を得る。そして、解析部１０は、図２（ｃ）に示すように、五角形のオブジェクトの単眼性手がかりとして、「４」程度、基準面よりも手前側に存在すると解析する。
【００２９】
つまり、図３（ｄ）に示すように、表示部１４の表示面をＸ軸及びＹ軸、表示部１４の表示面に垂直な方向をＺ軸（表示画をゼロ、表示面の手前側に飛び出す方向をプラス、表示面の奥側に引っ込む方向をマイナスとする）とするとき、解析部１０は、あるオブジェクトについて、左目用画像に対する右目用画像のずれ方向が右方向であるときは、当該オブジェクトのＺ座標の値は、そのずれ量に応じた程度、マイナスであると解析し、左目用画像に対する右目用画像のずれ方向が左方向であるときは、当該オブジェクトのＺ座標の値は、そのずれ量に応じた程度、プラスであると解析し、左目用画像に対する右目用画像のずれが無いときは、当該オブジェクトのＺ座標の値は、ゼロ（無）であると解析する。
【００３０】
なお、図３（ｃ）に示す例では、左目用画像に対する右目用画像のずれに着目しているが、反対に、右目用画像に対する左目用画像のずれに着目してもよい。例えば、解析部１０は、あるオブジェクトについて、右目用画像に対する左目用画像のずれ方向が右方向であるときは、当該オブジェクトのＺ座標の値は、そのずれ量に応じた程度、プラスであると解析し、右目用画像に対する左目用画像のずれ方向が左方向であるときは、当該オブジェクトのＺ座標の値は、そのずれ量に応じた程度、マイナスであると解析する。
【００３１】
なお、両眼性手がかりとして、各オブジェクトのＺ座標の値を解析した解析部１０は、両眼性手がかりとして、更に、表示部１４のライン（Ｙ座標の値が同じ画素の群）毎のＺ座標の値、又は、連続する複数のライン毎のＺ座標の値を解析してもよい。例えば、解析部１０は、図３（ｃ）（ｅ）に示すように、表示面の奥側（Ｚ座標の値はマイナス）であると解析した菱型のオブジェクトを表示する範囲Ｓ内の複数のラインのＺ座標の値はマイナスであると解析し、表示面の手前側（Ｚ座標の値はプラス）であると解析した五角形のオブジェクトを表示する範囲Ｔ内の複数のラインのＺ座標の値はプラスであると解析する。なお、ラインのＺ座標の値は、オブジェクトのＺ座標に値と同様に、求めればよい。
なお、図３（ｅ）において、太線の菱型、四角形、三角形、丸及び五角形は左目用画像におけるオブジェクト、細線の菱型、四角形、三角形（重なっているため非表示）、丸及び五角形は右目用画像におけるオブジェクト、破線は各オブジェクトの表示領域のＹ座標を示す補助線である。
【００３２】
解析部１０は、両眼性手がかりを解析した場合、解析結果を示す解析情報を表示制御部１２に出力する。例えば、解析部１０は、解析情報として、各オブジェクトのＺ座標の値を表示制御部１２に出力する。なお、解析部１０は、表示部１４のライン毎（又は、連続する複数のライン毎）のＺ座標の値を解析した場合、当該ライン毎（又は、連続する複数のライン毎）のＺ座標の値を表示制御部１２に出力する。
【００３３】
（合成画像における単眼性手がかりの解析）
解析部１０は、左目用画像又は右目用画像におけるオブジェクトの大きさに基づく単眼性手がかりを解析する。つまり、解析部１０は、単眼性手がかりとして、左目用画像内のあるオブジェクトの領域（又は右目用画像内のオブジェクト）の領域がどの程度の大きさであるかを解析する。例えば、解析部１０は、図４（ａ）に示す左目用画像及び図４（ｂ）に示す右目用画像を合成した合成画像を多重画像生成装置３から取得した場合、当該合成画像における単眼性手がかりとして、図４（ｃ）に示すように、左目用画像内のあるオブジェクトの領域（又は右目用画像内のオブジェクト）の領域がどの程度の大きさであるかを解析する。
【００３４】
図４（ａ）（ｂ）に示す例において、解析部１０は、例えば、左目用画像における菱型のオブジェクトの大きさ「０．９」（説明の便宜上、Ｘ軸方向の長さが補助線Ｎ本分であるとき大きさ「Ｎ」とする）を得る。同様に、解析部１０は、左目用画像における四角形のオブジェクトの大きさ「１．１」、左目用画像における三角形のオブジェクトの大きさ「１．５」、左目用画像における丸のオブジェクトの大きさ「２．５」、左目用画像における五角形のオブジェクトの大きさ「３．５」を得る。
【００３５】
続いて、解析部１０は、図４（ｃ）に示すように、菱型のオブジェクトの単眼性手がかりとして、基準となるオブジェクト（説明の便宜上、基準（大きさが中央値）である三角形のオブジェクト）との大きさの差「−０．６」を算出する。即ち、解析部１０は、菱型のオブジェクトについて、「０．６」程度、基準面よりも奥側に存在すると解析する。
【００３６】
同様に、解析部１０は、四角形のオブジェクトの単眼性手がかりとして、基準となるオブジェクトとの大きさの差「−０．４」を算出する。即ち、解析部１０は、四角形のオブジェクトについて、「０．４」程度、基準面よりも奥側に存在すると解析する。
【００３７】
また、解析部１０は、三角形のオブジェクトの単眼性手がかりとして、基準となるオブジェクトとの大きさの差「０」を算出する。即ち、解析部１０は、三角形のオブジェクトについて、基準面上に存在すると解析する。
【００３８】
また、解析部１０は、丸のオブジェクトの単眼性手がかりとして、基準となるオブジェクトとの大きさの差「１」を算出する。即ち、解析部１０は、丸のオブジェクトについて、「１」程度、基準面よりも手前側に存在すると解析する。
【００３９】
同様に、解析部１０は、五角形のオブジェクトの単眼性手がかりとして、基準となるオブジェクトとの大きさの差「２」を算出する。即ち、解析部１０は、五角形のオブジェクトについて、「２」程度、基準面よりも手前側に存在すると解析する。
【００４０】
なお、解析部１０による単眼性手がかりの解析は、左目用画像又は右目用画像におけるオブジェクトの大きさに基づく方法に限定されない。例えば、左目用画像又は右目用画像における明暗（明るい領域は近くに感じ、暗い領域は遠くに感じる）、濃淡（濃い色の領域は近くに感じ、淡い色の領域は遠くに感じる）、上下（下方の領域は近くに感じ、上方の領域は遠くに感じる）、色相（暖色の領域は近くに感じ、寒色の領域は遠くに感じる）などに基づいて単眼性手がかりを解析してもよい。
【００４１】
なお、解析部１０は、両眼性手がかりを解析した場合と同様、単眼性手がかりを解析した各オブジェクトの座標（Ｘ座標、Ｙ座標、Ｚ座標）から、表示部１４のライン（Ｙ軸上の位置）毎、若しくは、連続する複数のライン毎のＺ軸方向の位置を更に解析してもよい。また、解析部１０は、単眼性手がかりを解析した場合、両眼性手がかりを解析した場合と同様に、解析結果を示す解析情報を表示制御部１２に出力する。
【００４２】
表示制御部１２は、解析情報を解析部１０から取得する。表示制御部１２は、解析情報を解析部１０から取得した場合、当該解析情報に基づいて、当該合成画像の立体視効果が増大するように、表示部１４による表示を制御する。具体的には、表示制御部１２は、単眼性手がかりが存在する合成画像について、当該合成画像の単眼性手がかりが強調されるように表示部１４による表示を制御し、単眼性手がかりが存在しない合成画像について、当該合成画像に単眼性手がかりが付加されるように表示部による表示を制御する。なお、上記「強調」「付加」は、元々の合成画像における単眼性手がかりの有無に対応し区別したものであって両者の制御内容は同様である。
【００４３】
例えば、表示制御部１２は、表示部１４による表示の制御として、輝度、彩度又は色相の少なくとも１つを変更させる制御情報を表示部１４に出力する。
【００４４】
より詳細には、表示制御部１２は、ライン毎の制御情報を表示部１４に出力する。即ち、表示制御部１２は、単眼性手がかりが存在する合成画像における、奥側（Ｚ座標の値がマイナス）であると解析部１０によって解析されたラインについて、奥側であることが絵画的に強調されるような制御情報を表示部１４に出力し、手前側（Ｚ座標の値がプラス）であると解析部１０によって解析されたラインについて、手前側であることが絵画的に強調されるような制御情報を表示部１４に出力する。
【００４５】
また、表示制御部１２は、単眼性手がかりが存在しない合成画像における、奥側であると解析部１０によって解析されたラインについて、奥側であることが絵画的に付加されるような制御情報を表示部１４に出力し、手前側であると解析部１０によって解析されたラインについて、手前側であることが絵画的に付加されるような制御情報を表示部１４に出力する。
【００４６】
更に、表示制御部１２は、上述のライン毎に代えて又は加えて、合成画像内のオブジェクト毎の制御情報を表示部１４に出力してもよい。即ち、表示制御部１２は、単眼性手がかりが存在する合成画像における、奥側であると解析部１０によって解析されたオブジェクトについて、奥側であることが絵画的に強調されるような制御情報を表示部１４に出力し、手前側であると解析部１０によって解析されたオブジェクトについて、手前側であることが絵画的に強調されるような制御情報を表示部１４に出力することができる。
【００４７】
また、表示制御部１２は、単眼性手がかりが存在しない合成画像における、奥側であると解析部１０によって解析されたオブジェクトについて、奥側であることが絵画的に付加されるような制御情報を表示部１４に出力し、手前側であると解析部１０によって解析されたオブジェクトについて、手前側であることが絵画的に付加されるような制御情報を表示部１４に出力することができる。
【００４８】
なお、表示制御部１２による制御情報は、ライン（又はライン内のオブジェクトを構成するカラム）を特定する表示位置情報と表示設定変更情報（輝度、彩度又は色相の設定を変更させる情報）とを対応付けたものであってもよいし、各ライン（又は各ライン内のオブジェクトを構成する１以上のカラム）の表示タイミングに応じて出力する上記表示設定変更情報であってもよい。
【００４９】
また、輝度、彩度又は色相の少なくとも１つを変更させる制御情報は、ガンマ特性を変更させるものであってもよい。輝度、彩度及び色相の変更は、ガンマ特性を変更させることによっても実現するからである。
【００５０】
以下、図５乃至図７を用いて、表示制御部１２による表示部１４の制御について更に説明する。図５は、ガンマ特性の変更例である。図６及び図７は、表示制御部による制御例である。
【００５１】
表示制御部１２は、輝度、彩度又は色相の少なくとも１つを変更させる制御情報として、表示部１４のガンマ特性を図５に示すように変更する制御情報を、表示部１４に送信する。図５（ａ）は、最も奥側であると解析された画素に対する赤色信号（Ｒ値）のガンマ補正例である。図５（ｂ）は、最も奥側であると解析された画素に対する緑色信号（Ｇ値）のガンマ補正例である。図５（ｃ）は、最も奥側であると解析された画素に対する青色信号（Ｂ値）のガンマ補正例である。図５（ｄ）は、最も手前側であると解析された画素に対する赤色信号（Ｒ値）のガンマ補正例である。図５（ｅ）は、最も手前側であると解析された画素に対する緑色信号（Ｇ値）のガンマ補正例である。図５（ｆ）は、最も手前側であると解析された画素に対する青色信号（Ｂ値）のガンマ補正例である。なお、最も奥側と最も手前側の中間における補正値は、各色とも、最も奥側と最も手前側の値から平均法を用いて算出する。
【００５２】
図５（ａ）〜図５（ｆ）に示すように、輝度は、ダイナミックレンジ（出力値の幅）によって制御（調整）する。具体的には、例えば、図５（ａ）（ｄ）に示すように、Ｚ座標の値が大きい一の画素（手前側のオブジェクト又はラインを構成する画素）に対する赤色信号のダイナミックレンジを、Ｚ座標の値が小さい他の画素（奥側のオブジェクト又はラインを構成する画素）に対する赤色信号のダイナミックレンジよりも大きくする。これにより、仮に、最も手前側のオブジェクト又はラインを構成する画素であると解析された画素（例えば図５（ｄ）参照）の元々の赤色の輝度値と、最も奥側のオブジェクト又はラインを構成する画素であると解析された画素（例えば図５（ａ）参照）の元々の赤色の輝度値とが同一であった場合には、最も手前側のオブジェクト又はラインを構成する画素であると解析された画素の赤色の輝度値は、最も奥側のオブジェクト又はラインを構成する画素であると解析された画素の赤色の輝度値よりも高くなる。
【００５３】
彩度は、出力値の最大値によって制御する。具体的には、例えば、図５（ａ）（ｄ）に示すように、Ｚ座標の値が大きい一の画素に対する赤色信号の出力値の最大値を、Ｚ座標の値が小さい他の画素に対する赤色信号の出力値の最大値よりも大きくする。これにより、仮に、最も手前側のオブジェクト又はラインを構成する画素であると解析された画素（例えば図５（ｄ）参照）の元々の赤色の彩度値（彩度の程度を示す値）と、最も奥側のオブジェクト又はラインを構成する画素であると解析された画素（例えば図５（ａ）参照）の元々の赤色の彩度値とが同一であった場合には、最も手前側のオブジェクト又はラインを構成する画素であると解析された画素の赤色の彩度値は、最も奥側のオブジェクト又はラインを構成する画素であると解析された画素の赤色の彩度値よりも高くなる。
【００５４】
色相は、出力値の立ち上がり具合（最小入力値における傾き）によって制御する。具体的には、例えば、図５（ａ）（ｄ）に示すように、Ｚ座標の値が大きい一の画素に対する赤色信号の最小入力値における傾きは、Ｚ座標の値が小さい他の画素に対する赤色信号の最小入力値における傾きよりも大きくなるように制御する。これにより、仮に、最も手前側のオブジェクト又はラインを構成する画素であると解析された画素（例えば図５（ｄ）参照）の元々の赤色の色相値（色味の強さを示す値）と、最も奥側のオブジェクト又はラインを構成する画素であると解析された画素（例えば図５（ａ）参照）の元々の赤色の色相値とが同一であった場合には、最も手前側のオブジェクト又はラインを構成する画素であると解析された画素の赤色の色相値は、最も奥側のオブジェクト又はラインを構成する画素であると解析された画素の赤色の色相値よりも高くなる。
【００５５】
なお、表示部１４が、図５（ａ）に示すガンマ補正に対応するテーブル（図５（ａ）に示すガンマ補正を実現させる、入力値と出力値とが対応付けられたデータ。以下、同様）、図５（ｂ）に示すガンマ補正に対応するテーブル、…、図５（ｆ）に示すガンマ補正に対応するテーブルなど複数のテーブルを保持し、表示制御部１２は、制御情報として、複数のテーブルの中から、使用するテーブルを特定する情報を表示部１４に出力する。また、表示制御部１２は、制御情報として、使用するテーブル自体を表示部１４に出力してもよい。
【００５６】
表示部１４は、多重画像を解析部１０から取得する。また、表示部１４は、制御情報を表示制御部１２から取得する。表示部１４は、表示制御部１２から取得した制御情報に従って、解析部１０から取得した多重画像を表示する。
【００５７】
例えば、元々の多重画像（多重画像生成装置３から出力された段階の多重画像）が、図６（ａ）に示すような単眼性手がかりが存在する合成画像であった場合、表示部１４は、図６（ｂ）に示すような合成画像を表示する。図６（ｂ）に示す多重画像は、図６（ａ）に示す合成画像に比べ単眼性手がかりが強調されている。具体的には、オブジェクトの領域も含めて、上部のラインほど暗くなっている。
また例えば、元々の多重画像が、図６（ａ）に示すような合成画像であった場合に、表示部１４は、図６（ｃ）に示すような合成画像を表示することもできる。図６（ｃ）に示す多重画像は、図６（ａ）に示す合成画像に比べ単眼性手がかりが強調されている。具体的には、上部のラインのオブジェクトほど暗くなっている。
また例えば、元々の多重画像が、図６（ａ）に示すような合成画像であった場合に、表示部１４は、図６（ｄ）に示すような合成画像を表示することもできる。図６（ｄ）に示す多重画像は、図６（ｂ）と図６（ｃ）を合わせたものである。
【００５８】
また、表示部１４は、図７（ａ）に示すような元々の多重画像を、図７（ｂ）に示すように表示することができる。つまり、解析部１０は、元々の多重画像における、模様、オブジェクトの向きなどから奥行（Ｚ座標の値のプラス／マイナス）を解析し、表示制御部１２が、ライン内のオブジェクトを構成するカラムを特定する表示位置情報を含む制御情報を表示部１４に出力し、又は、各ライン内のオブジェクトを構成する1以上のカラムの表示タイミングに応じて、制御情報（表示設定変更情報）を表示部１４に出力すれば、表示部１４は、図７（ａ）に示す多重画像を図７（ｂ）の如く表示することができる。
なお、図７（ａ）の点線は、通路の両側の壁板の並びによる模様から解析された手前側と外側のパターンであって、各ラインにおいて、ラインの中央部分は、当該ラインの他の部分よりも奥側である旨を示している。
【００５９】
（第２の実施形態）
本発明の第２の実施形態に係る立体画像表示制御装置２は、図１（ｂ）に示すように、解析部２０及び表示制御部２２を備える。また、立体画像表示制御装置２は、多重画像生成装置３及び表示装置４と接続している。立体画像表示制御装置２が備える解析部２０及び表示制御部２２は、第１の実施形態に係る立体画像表示装置１が備える解析部１０及び表示制御部１２と、下記に説明する情報の入出力先を除き同様である。
【００６０】
解析部２０は、単眼性手がかり、又は、両眼性手がかりを解析した場合、解析情報を表示制御部２２に出力する。但し、解析部２０は、図１（ｂ）に示すように、表示装置４が多重画像生成装置３から合成画像を取得する態様の場合、表示装置４０に合成画像を出力する必要はない。表示制御部２２は、解析情報を解析部２０から取得した場合、当該解析情報に基づいて、当該合成画像の立体視効果が増大するように、表示装置４による表示を制御する。
【００６１】
以上、第１の実施形態による立体画像表示装置１、第２の実施形態による立体画像表示制御装置２について説明したが、立体画像表示装置１、立体画像表示制御装置２によれば、単眼性手がかりを元々元有していた合成画像については単眼性手がかりを強調し、単眼性手がかりを有していなかった合成画像については単眼性手がかりを新たに付加するため、立体画像をより立体的に見せることができるようになる。
【００６２】
なお、第１の実施形態による立体画像表示装置１の解析部１０は、左目用画像及び右目用画像における同一オブジェクトの領域のずれ（ずれ方向及びずれ量）に基づく両眼性手がかりを解析する例を説明したが、解析部１０は、奥行情報（Ｚ座標の値）を有する画像を多重画像生成装置３から取得した場合には、当該奥行情報を加工して、解析情報として表示制御部１２に出力してもよいし、当該奥行情報をそのまま解析情報として表示制御部１２に出力してもよい。第２の実施形態による立体画像表示制御装置２の解析部２０についても同様である。
【００６３】
なお、本発明の実施形態による立体画像表示装置１、立体画像表示制御装置２の各処理を実行するためのプログラムをコンピューター読み取り可能な記録媒体に記録して、当該記録媒体に記録されたプログラムをコンピューターシステムに読み込ませ、実行することにより、本発明の実施形態による立体画像表示装置１、立体画像表示制御装置２に係る上述した種々の処理を行ってもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００６４】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００６５】
以上、この発明の実施形態について図面を参照して詳述してきたが、具体的な構成はこの実施形態に限られるものではなく、この発明の要旨を逸脱しない範囲の設計等も含まれる。
【符号の説明】
【００６６】
１…立体画像表示装置
２…立体画像表示制御装置
３…多重画像生成装置
４…表示装置
１０、２０…解析部
１２、２２…表示制御部
１４…表示部
【図１】
2012114885.tif 000003
【図２】
2012114885.tif 000004
【図３】
2012114885.tif 000005
【図４】
2012114885.tif 000006
【図５】
2012114885.tif 000007
【図６】
2012114885.tif 000008
【図７】
2012114885.tif 000009